(57)【要約】ＭＩＭＯシステムでフィードバック情報を伝送する方法を提供する。基地局の要請なしにフィードバック情報及びフィードバックタイプを決定する段階と；ＭＩＭＯモードフィードバック拡張サブヘッダーを用いてフィードバック情報を伝送する段階と；を含み、前記フィードバックタイプは、伝送アンテナタイプで、前記ＭＩＭＯモードフィードバック拡張サブヘッダーは、ＭＡＣヘッダーとペイロードとの間に位置することを特徴とする、多重入力多重出力（ＭＩＭＯ）システムでフィードバック情報を伝送する方法を構成する。
2008532414.tif 000002
【特許請求の範囲】
【請求項１】
基地局の要請なしにフィードバック情報及びフィードバックタイプを決定する段階と；
ＭＩＭＯモードフィードバック拡張サブヘッダーを用いてフィードバック情報を伝送する段階と；を含み、
前記フィードバックタイプは、伝送アンテナタイプで、
前記ＭＩＭＯモードフィードバック拡張サブヘッダーは、ＭＡＣヘッダーとペイロードとの間に位置することを特徴とする、多重入力多重出力（ＭＩＭＯ）システムでフィードバック情報を伝送する方法。
【請求項２】
前記基地局の要請は
前記基地局にフィードバック情報を伝送させるための命令であることを特徴とする、請求項１に記載の多重入力多重出力（ＭＩＭＯ）システムでフィードバック情報を伝送する方法。
【請求項３】
前記伝送アンテナタイプは
閉ループＭＩＭＯシステムにおけるアンテナグルーピング情報であることを特徴とする、請求項１に記載の多重入力多重出力（ＭＩＭＯ）システムでフィードバック情報を伝送する方法。
【請求項４】
前記伝送アンテナタイプは、
閉ループＭＩＭＯシステムにおけるアンテナ選択情報であることを特徴とする、請求項１に記載の多重入力多重出力（ＭＩＭＯ）システムでフィードバック情報を伝送する方法。
【請求項５】
前記伝送アンテナタイプは、
閉ループＭＩＭＯシステムにおけるプリコーディングマトリックスコードブックであることを特徴とする、請求項１に記載の多重入力多重出力（ＭＩＭＯ）システムでフィードバック情報を伝送する方法。
【請求項６】
前記伝送アンテナタイプは
閉ループＭＩＭＯシステムにおけるチャネルマトリックス情報であることを特徴とする、請求項１に記載の多重入力多重出力（ＭＩＭＯ）システムでフィードバック情報を伝送する方法。
【請求項７】
前記ＭＩＭＯモードフィードバック拡張サブヘッダーは、
前記ＭＩＭＯモードフィードバック拡張サブヘッダーが存在する場合、端末によって伝送される最初のプロトコルデータユニットに位置することを特徴とする、請求項１に記載の多重入力多重出力（ＭＩＭＯ）システムでフィードバック情報を伝送する方法。
【請求項８】
前記ＭＩＭＯモードフィードバック拡張サブヘッダーの存在は、
ＭＡＣヘッダーに含まれるＥＳＦフィールドによって知られることを特徴とする、請求項１に記載の多重入力多重出力（ＭＩＭＯ）システムでフィードバック情報を伝送する方法。
【請求項９】
ＭＡＣヘッダー、拡張されたサブヘッダーグループ及びペイロードを含むプロトコルデータユニットを生成する段階と；
ＭＡＣヘッダー及びＭＩＭＯモードフィードバック拡張サブヘッダーを含むプロトコルデータユニットを伝送する段階と；を含み、
前記ＭＡＣヘッダーは、拡張されたサブヘッダーグループがＭＡＣヘッダーの次に存在するかどうかに対する情報を含み、前記拡張されたサブヘッダーグループは、ＭＩＭＯモードフィードバック拡張サブヘッダーを含み、前記ＭＩＭＯモードフィードバック拡張サブヘッダーは、アンテナ伝送タイプの変更に対する要請を含むことを特徴とする、多重入力多重出力（ＭＩＭＯ）システムでフィードバック情報を伝送する方法。
【請求項１０】
前記拡張されたサブヘッダーグループは、
ＥＳＦであることを特徴とする、請求項９に記載の多重入力多重出力（ＭＩＭＯ）システムでフィードバック情報を伝送する方法。
【請求項１１】
前記拡張されたサブヘッダーグループは、
ＭＡＣヘッダーとペイロードとの間に位置することを特徴とする、請求項９に記載の多重入力多重出力（ＭＩＭＯ）システムでフィードバック情報を伝送する方法。
【請求項１２】
前記伝送アンテナタイプは、
閉ループＭＩＭＯシステムにおけるアンテナグルーピング情報であることを特徴とする、請求項９に記載の多重入力多重出力（ＭＩＭＯ）システムでフィードバック情報を伝送する方法。
【請求項１３】
前記伝送アンテナタイプは、
閉ループＭＩＭＯシステムにおけるアンテナ選択情報であることを特徴とする、請求項９に記載の多重入力多重出力（ＭＩＭＯ）システムでフィードバック情報を伝送する方法。
【請求項１４】
前記伝送アンテナタイプは、
閉ループＭＩＭＯシステムにおけるプリコーディングマトリックスコードブックであることを特徴とする、請求項９に記載の多重入力多重出力（ＭＩＭＯ）システムでフィードバック情報を伝送する方法。
【請求項１５】
前記伝送アンテナタイプは、
閉ループＭＩＭＯシステムにおけるチャネルマトリックス情報であることを特徴とする、請求項９に記載の多重入力多重出力（ＭＩＭＯ）システムでフィードバック情報を伝送する方法。
【請求項１６】
前記ＭＩＭＯモードフィードバック拡張サブヘッダーは、
前記ＭＩＭＯモードフィードバック拡張サブヘッダーが存在する場合、端末によって伝送される最初のプロトコルデータユニットに位置することを特徴とする、請求項１に記載の多重入力多重出力（ＭＩＭＯ）システムでフィードバック情報を伝送する方法。
【発明の詳細な説明】
【技術分野】
【０００１】
本発明は、フィードバック情報伝送方法に関するもので、より詳細には、多重入力、多重出力（Ｍｕｌｔｉ―Ｉｎｐｕｔ、Ｍｕｌｔｉ―Ｏｕｔｐｕｔ；以下、ＭＩＭＯという。）システムにおけるフィードバック情報伝送方法に関するものである。
【背景技術】
【０００２】
ＭＩＭＯシステムは、端末（Ｍｏｂｉｌｅ  Ｓｔａｔｉｏｎ；以下、ＭＳという。）のみならず、基地局（Ｂａｓｅ  Ｓｔａｔｉｏｎ；以下、ＢＳという。）で複数のアンテナを用いることでネットワークの周波数効率及び容量を向上させるものである。このように、ＭＩＭＯシステムは、モバイル無線通信システムで高速データを伝送するための有用な技術として大いなる関心を受けてきた。
【０００３】
複数のアンテナを有する閉ループ（ｃｌｏｓｅｄ―ｌｏｏｐ）ＭＩＭＯシステムにおいて、ＭＳは、ＢＳから伝送されるデータを受信し、各チャネルのチャネル情報を推定する。このとき、ＭＳは、推定されたチャネル情報を用いて加重値を得るが、この加重値は、次にフィードバック情報としてＢＳに伝送される。ＢＳがフィードバック情報を受信した後、ＢＳは、ＭＳに入力データをより効果的に／効率的に伝送するために、加重値を入力データに適用する。
【０００４】
直交周波数分割多重／直交周波数分割多重接続（ＯＦＤＭ／ＯＦＤＭＡ）システムにおいて、ＢＳは、ダウンリンク信号に適用される多様なタイプのフィードバック情報をＭＳから受信する。ＭＩＭＯシステムにおいては、伝送端の多重アンテナによって使用されるデータ伝送方式に基づいて、伝送に適用される多様なモードがある。これらモードは、視空間伝送ダイバーシティ（Ｓｐａｃｅ  Ｔｉｍｅ  Ｔｒａｎｓｍｉｔ  Ｄｉｖｅｒｓｉｔｙ；以下、ＳＴＴＤという。）、空間マルチプレキシング（Ｓｐａｔｉａｌ  Ｍｕｌｔｉｐｌｅｘｉｎｇ；以下、ＳＭという。）、及び閉ループＳＭを含む。そして、閉ループＭＩＭＯシステムにおいては、ＭＳからＢＳに伝送される５個のタイプのフィードバック情報がある。
【０００５】
第一のタイプは、アンテナグルーピングインデックス（ａｎｔｅｎｎａ  ｇｒｏｕｐｉｎｇ  ｉｎｄｅｘ）である。アンテナグルーピングインデックスは、閉ループＳＴＴＤ方式が使用される場合に適用される。より詳細に説明すると、ＳＴＴＤを達成する一対のアンテナは、チャネル状態によって変更され、理想的な一対のアンテナに対するインデックスは、ＭＳによってＢＳに提供される。
【０００６】
第二のタイプは、アンテナ選択インデックス（ａｎｔｅｎｎａ  ｓｅｌｅｃｔｉｏｎ  ｉｎｄｅｘ）である。アンテナ選択インデックスは、閉ループＳＴＴＤ方式またはＳＭ方式が使用される場合に適用される。より詳細に説明すると、最も良好な状態を有するアンテナの数が複数のアンテナから選択され、選択されたアンテナに対する各インデックスがＢＳに送られる。
【０００７】
第三のタイプは、プリコーディングコードブックインデックス（ｐｒｅｃｏｄｉｎｇ  ｃｏｄｅｂｏｏｋ  ｉｎｄｅｘ）である。プリコーディングコードブックインデックスは、閉ループＳＭ方式が使用される場合に適用される。より詳細に説明すると、ＢＳ伝送アンテナグループで伝送信号に掛けられるプリコーディングマトリックスコードブックは、ＭＳとＢＳが全て保有し、ＭＳは、チャネル状態による最適のプリコーディングマトリックスを選択してＢＳに提供する。
【０００８】
第四のタイプは、ディレクティドプリコーディングマトリックス値（ｄｉｒｅｃｔｅｄ  ｐｒｅｃｏｄｉｎｇ  ｍａｔｒｉｘ  ｖａｌｕｅ）である。ディレクティドプリコーディングマトリックス値は、閉ループＳＭ方式が使用される場合に適用される。より詳細に説明すると、ＭＳがプリコーディングマトリックスの値を直接提供する。プリコーディングマトリックスは、ＢＳの伝送アンテナグループで伝送信号に掛けられる。
【０００９】
第五のタイプは、送信信号の数（ｎｕｍｂｅｒ  ｏｆ  ｓｔｒｅａｍ）である。送信信号の数は、ＳＴＴＤ方式またはＳＭ方式が使用される場合に適用される。より詳細に説明すると、ＭＳは、上記の二つの方式で最適の伝送容量を達成するために使用される伝送信号の数をＢＳに提供する。ここで、伝送信号の数は、同時に伝送される伝送シンボルの数と同一である。
【００１０】
上記のようなフィードバック情報の５個のタイプの他に、フィードバック情報は、選択されたモードと関連する、ＭＳが選択したパーミュテーション（ｐｅｒｍｕｔａｔｉｏｎ）方式を含む。このパーミュテーション方式は、下記で説明する。
【００１１】
ＯＦＤＭ／ＯＦＤＭＡ無線通信システムにおいて、ＭＳは、パーミュテーション方式を決定し、決定されたパーミュテーション方式をフィードバック情報の形態でＢＳに伝送する。ここで、パーミュテーション方式を決定することは、データ伝送のための周波数広帯域のデータが割り当てられて整えられる方式をＭＳが決定することを意味する。すなわち、ＭＳは、ＦＵＳＣ（Ｆｕｌｌ  Ｕｓａｇｅ  Ｓｕｂ−Ｃａｒｒｉｅｒ）、ＰＵＳＣ（Ｐａｒｔｉａｌ  Ｕｓａｇｅ  Ｓｕｂ−Ｃａｒｒｉｅｒ）及び隣接副搬送波パーミュテーション方式（Ａｄｊａｃｅｎｔ  Ｓｕｂ−Ｃａｒｒｉｅｒ  Ｐｅｒｍｕｔａｔｉｏｎ  ｓｃｈｅｍｅ）のうち何れか一つを選択する。
【００１２】
ＭＩＭＯモードのフィードバック情報及びＭＳによって選択されたパーミュテーション方式、または閉ループＭＩＭＩシステムでダウンリンク伝送に適用される加重値を伝送する過程は、次の過程を通してなされる。まず、ＢＳは、ＭＳがＢＳにフィードバック情報を伝送するときに使用されるフィードバックタイプ、及びＭＳがＢＳにフィードバック情報を伝送すべきフィードバック周期を含む情報をＭＳに伝送する。この情報は、チャネル品質情報チャネル（Ｃｈａｎｎｅｌ  Ｑｕａｌｉｔｙ  Ｉｎｆｏｒｍａｔｉｏｎ  Ｃｈａｎｎｅｌ：ＣＱＩＣＨ）を知らせるＩＥ（Ｉｎｆｏｒｍａｔｉｏｎ  Ｅｌｅｍｅｎｔ）、データと一緒に伝送する高速フィードバック割り当てサブヘッダー、またはＢＳがアップリンク資源を割り当てるために使用するフィードバックポーリング（Ｆｅｅｄｂａｃｋ  Ｐｏｌｌｉｎｇ）ＩＥのうち何れか一つを通して伝送される。
【００１３】
ＭＳがフィードバックタイプ及びフィードバック周期を含む情報を受信した後、ＭＳは、割り当てられたフレームの高速フィードバックチャネルを用いてフィードバック情報を周期的に伝送するか、または、割り当てられたアップリンク資源にフィードバックヘッダーを用いてフィードバック情報を周期的または非周期的に伝送する。ＢＳに伝送されるデータがある場合、ＭＳは、サブヘッダーを用いてデータを伝送する。
【００１４】
上記の説明と関連して、次のような問題が存在する。第一に、ＭＩＭＯモード及びＭＳによって選択されたパーミュテーション方式を伝送（報告）する過程は、決定された加重値を伝送（報告）する過程と異なる。第二に、現在、ダウンリンク伝送に適用される加重値を伝送するために三つのタイプの方法が存在するが、何れの方法が適用されるかに対する情報がない。最後に、ダイレクトプリコーディングマトリックス値（ｄｉｒｅｃｔ  ｐｒｅｃｏｄｉｎｇ  ｍａｔｒｉｘ  ｖａｌｕｅ）を伝送する方法に対する説明がない。
【発明の開示】
【発明が解決しようとする課題】
【００１５】
したがって、本発明は、上記のような従来技術の制約および短所による一つ以上の問題点を解決するためのＭＩＭＯシステムにおけるフィードバック情報伝送方法に関するものである。
【００１６】
本発明の一つの目的は、ＭＩＭＯシステムでフィードバック情報を伝送する方法を提供することにある。
【００１７】
本発明の追加的な長所、目的及び特徴は、以下の一部の詳細な説明を通して展開されるもので、以下の一部の詳細な説明に基づいて、前記技術分野で通常の技術を有する者にとって明らかになるか、または、発明の実施例から理解可能になるだろう。本発明の目的及び他の長所は、詳細な説明及び添付の図面のみならず、特許請求の範囲を通して特別に指摘された構造によって実現または達成される。
【課題を解決するための手段】
【００１８】
ここで具体化されて包括的に説明されるように、上記のような目的及び他の長所を実現し、本発明の目的と一致させるためのＭＩＭＯシステムでフィードバック情報を伝送する方法は、ＢＳの要請なしにＢＳにフィードバック情報及びフィードバックタイプを伝送することを決定し、ＭＩＭＯモードフィードバック拡張サブヘッダーを用いてフィードバック情報を伝送するＭＳを含む。ここで、フィードバックタイプは、伝送アンテナタイプで、
ＭＩＭＯモードフィードバック拡張サブヘッダーは、媒体接近チャネル（Ｍｅｄｉｕｍ  Ａｃｃｅｓｓ  Ｃｈａｎｎｅｌ；以下、ＭＡＣという。）ヘッダーとペイロードとの間に位置する。
【００１９】
本発明の他の様相として、ＭＳは、ＭＡＣヘッダー、拡張サブヘッダーグループ及びペイロードを含むプロトコルデータユニット（Ｐｒｏｔｏｃｏｌ  Ｄａｔａ  Ｕｎｉｔ；以下、ＰＤＵという。）を生成する。ここで、ＭＡＣヘッダーは、ＭＡＣヘッダーの次に拡張サブヘッダーグループが存在するかどうかに対する情報を含み、拡張サブヘッダーグループは、ＭＩＭＯモードフィードバック拡張サブヘッダーを含む。そして、ＭＳは、ＭＡＣヘッダー及びＭＩＭＯモードフィードバック拡張サブヘッダーを含むＰＤＵを伝送するが、ここで、ＭＩＭＯモードフィードバック拡張サブヘッダーは、アンテナ伝送タイプの変更に対する要請を含む。
【００２０】
本発明に対する上述した包括的な説明及び次の詳細な説明は、全て例示的かつ説明的なもので、特許請求の範囲に記載された本発明に対する付加的な説明を提供するためのものであることを理解すべきである。
【発明の効果】
【００２１】
本発明は、ＭＩＭＯシステムでフィードバック情報を伝送する方法を提供することができる。
【発明を実施するための最良の形態】
【００２２】
本発明の好適な実施例に対する説明では、参照が使用されており、本発明の各例は、添付された図面に基づいて説明される。図中の同一の参照番号は、同一の部分または類似した部分を示すために使用される。
【００２３】
従来技術には、高速アップリンクフィードバックサブヘッダーの存在を知らせる方法がない。表１及び表２は、モード選択フィードバックサブヘッダー（ｍｏｄｅ  ｓｅｌｅｃｔｉｏｎ  ｆｅｅｄｂａｃｋ  ｓｕｂｈｅａｄｅｒ）のデータ形式の各例を示す。
【００２４】
【表１】
2008532414.tif 000003
【００２５】
【表２】
2008532414.tif 000004
伝送のために使用されるＭＩＭＯモード及びパーミュテーション方式が選択された後、モード選択フィードバックサブヘッダーがＭＳによって使用される。モード選択フィードバックサブヘッダーは、それ自体では使用されない。すなわち、図１及び図２に示すように、拡張されたサブヘッダーフィールド（Ｅｘｔｅｎｄｅｄ  Ｓｕｂｈｅａｄｅｒ  Ｆｉｅｌｄ；以下、ＥＳＦという。）がモード選択サブフィードバックサブヘッダーの存在及び内容を知らせる。より詳細に、図１は、ＯＦＤＭＡ広帯域無線アクセスシステムにおけるＭＡＣ  ＰＤＵのデータ構造の一例を示す。図２は、図１のＥＳＦの詳細図である。
【００２６】
図１に示すように、ＥＳＦが存在するかどうかを示すための指示フィールドを含むことで、より多くの及び／または他のタイプのサブヘッダーがヘッダーとサブヘッダーとの間に含まれる。すなわち、ＥＳＦフィールドは２バイトで構成されるが、１１ビットのビットマップは、１１ビットのサブヘッダーの存在を知らせるために使用され、残りの５ビットは、サブヘッダーの大きさを知らせるために使用される。
【００２７】
表３は、４ビットのペイロードにマッピングされたＭＩＭＯモード及びパーミュテーション方式を示す。
【００２８】
【表３】
2008532414.tif 000005
表４は、閉ループＭＩＭＯシステムにおけるダウンリンク伝送品質向上のためにＭＳが加重値を決定した後、フィードバックとしてＢＳに伝送される高速アップリンクフィードバックサブヘッダーのデータタイプの一例を示す。
【００２９】
【表４】
2008532414.tif 000006
表５は、フィードバック内容の一例を説明する。表５において、インデックス値は、アンテナグルーピング、アンテナ選択及びプリコーディングコードブックを示すが、インデックス値としては、０ｂ１０１１１０〜０ｂ１１０１１０のうち任意の三つの値を使用することができる。
【００３０】
【表５】
2008532414.tif 000007
ダウンリンクチャネル能力を向上させるために、ＢＳは、閉ループＭＩＭＯシステムにおいて、チャネル推定値、最適のＭＩＭＯモード及び加重値を伝送する方法を受信できるようにフィードバックタイプ及びフィードバック周期をＭＳに伝送する。また、ＭＩＭＯモード変更要請を伝送するか、または、ＢＳの要請なしにプリコーディング加重値／アンテナ加重値をフィードバック情報としてＢＳに伝送するための方法を使用することができる。
【００３１】
ＢＳが特定のフィードバックタイプを要請または要求する場合、ＭＳは、特定のフィードバックタイプ及び対応するフィードバック内容を示す指示子をフィードバックとしてＢＳに伝送する。ＭＳがＢＳから要請や要求を全く受信しない場合も、ＭＳは、自発的に所望の／好ましいＭＩＭＯモードを選択してＢＳに伝送するか、または、プリコーディング加重値／アンテナ加重値をＢＳに伝送するための方法を使用することができる。
【００３２】
ＢＳに特定のフィードバックタイプを伝送する例として、ＭＳがＢＳに伝送するデータがある場合、ＭＳは、ＭＡＣ  ＰＤＵのサブヘッダー（例えば、ＭＩＭＯモードフィードバックサブヘッダー）にフィードバックタイプ及びフィードバック内容を示すために使用される指示子を含ませてフィードバック情報を伝送することが好ましい。
【００３３】
上述したように、図１は、本発明の一実施例に係るＭＡＣ  ＰＤＵデータ構造の一例を示す。図１において、本発明の一実施例に係るＭＩＭＯフィードバックサブヘッダーの存在は、ＥＳＦを通して知られる。ここで、ＥＳＦは、ヘッダーの一部分を占める。そして、ＥＳＦによって、使用されるサブヘッダーのタイプが決定されると同時に、ＥＳＦの大きさがサブヘッダーの特性（例えば、サブヘッダーの数及びサブヘッダーのタイプ）に基づいて決定される。
【００３４】
図３は、本発明の一実施例に係るＭＳとＢＳとの間の手順の一例を示す。図３において、ＢＳは、ＥＳＦ及びフィードバックタイプを示すためのサブヘッダーを含むＭＡＣ  ＰＤＵを伝送する。ＭＳは、これを受信した後、ヘッダーとペイロードとの間に含まれるサブヘッダーの位置を決定する。そして、ＭＳは、フィードバックタイプのために必要な情報を決定する。その後、ＭＳは、ペイロードを除いてヘッダーをＢＳに伝送し、決定されたフィードバックタイプをＢＳに知らせる。
【００３５】
表６は、ＥＳＦ内でＭＩＭＯモードフィードバックサブヘッダーの存在を知らせるビットマップ構造の一例を示す。
【００３６】
【表６】
2008532414.tif 000008
表７は、ＭＩＭＯモードフィードバックサブヘッダーの内容に対する一例を示す。図７において、‘Ｆｅｅｄｂａｃｋ  ｔｙｐｅ’は、２ビットの長さを有し、ＭＳが要請しようとする内容に対する指示子として機能する。そして、‘Ｆｅｅｄｂａｃｋ  ｃｏｎｔｅｎｔｓ’は、６ビットの長さを有し、表５の０ｂ１０１１０〜０ｂ１１０１１０で適用された各方法を区別する能力を有する。
【００３７】
【表７】
2008532414.tif 000009
【００３８】
【表８】
2008532414.tif 000010
【００３９】
【表９】
2008532414.tif 000011
【００４０】
【表１０】
2008532414.tif 000012
本発明の実施例において、表５、表７〜表１０の内容は、ＢＳとＭＳによって知られて保管される。これに基づき、‘Ｆｅｅｄｂａｃｋ  ｔｙｐｅ'は、表７のサブヘッダーを用いて割り当てられ、表５、表８〜表１０で６ビットの長さを有する‘Ｆｅｅｄｂａｃｋ  ｃｏｎｔｅｎｔ’は、割り当てられた‘Ｆｅｅｄｂａｃｋ  ｔｙｐｅ'によってフィードバック情報として伝送される。このような整列に基づいて、多様なフィードバックタイプが単一のサブヘッダーを通して伝送される。表５及び表８〜表１０は、本発明の実施例を説明するために使用されるフィードバック内容の唯一の例である。
【００４１】
ＭＩＭＯモードフィードバックサブヘッダーは、ＭＩＭＯモード及びパーミュテーション方式だけでなく、閉ループＭＩＭＯシステムで使用されるプリコーディング加重値／アンテナ加重値を伝送するための方法を使用することが好ましい。さらに、プリコーディング加重値／アンテナ加重値を伝送するための複数の方法から、加重値を伝送するために使用される方法を具体的に（例えば、より正確に）示す指示子を含むことが好ましい。
【００４２】
そして、ディレクティドプリコーディングマトリックス値に対し、決定された加重値を直接定量化し、マトリックスの各構成要素当たり６ビットを用いて、定量化された値を伝送することが好ましい。
【００４３】
本発明の技術的思想及び範囲から逸脱せずに、本発明で多様な変形及び変更がなされることは、本発明の属する技術分野で通常の知識を有する者にとって自明である。したがって、本発明は、添付された特許請求の範囲及びその均等物内で提供される発明の変形及び変更を含む。
【図面の簡単な説明】
【００４４】
【図１】ＯＦＤＭＡ広帯域無線アクセスシステムにおけるＭＡＣ  ＰＤＵのデータ構造の例を示す。
【図２】図１のＥＳＦに対する詳細図である。
【図３】本発明の一実施例に係るＭＳとＢＳとの間の手順の一例を示す。
【図１】
2008532414.tif 000013
【図２】
2008532414.tif 000014
【図３】
2008532414.tif 000015
【国際調査報告】
2008532414.tif 000016
2008532414.tif 000017